(57)【要約】【課題】左眼用画像および右眼用画像を分離して透過させる分離パネルと表示パネルとを貼り合わせることによるずれを修正する。【解決手段】表示パネルに貼り合わされた分離パネルにより、表示パネルで表示される画素列からなる左眼用画像の画素列ＰＬ１乃至ＰＬ３および右眼用画像の画素列ＰＲ１乃至ＰＲ３の所定の幅よりも十分に小さい幅の細線化透過領域Ｂ１１乃至Ｂ１５毎に、光の透過状態が制御されることにより、表示パネルにより表示される左眼用画像ＰＬ１の画素列乃至ＰＬ３および右眼用画像の画素列ＰＲ１乃至ＰＲ３が視差角をなす方向に分離されて透過される。本技術は、テレビジョン受像機に適用することができる。【選択図】図４
2013182223.tif 000002
【特許請求の範囲】
【請求項１】
３Ｄ画像を表示する表示装置であって、
視差方向に対して垂直方向に左眼用画像および右眼用画像を所定の幅の画素列毎に交互に表示する表示パネルと、
前記表示パネルに貼り合わされ、前記表示パネルで表示される前記画素列の所定の幅よりも十分に小さい幅の領域毎に、光の透過状態を制御することにより、前記表示パネルにより表示される前記左眼用画像および右眼用画像を視差方向毎に分離して透過させる分離パネルと
を含む表示装置。
【請求項２】
前記分離パネルにおける、前記表示パネルで表示される前記画素列の所定の幅よりも十分に小さい幅の領域は、視差方向に対して垂直方向に多段に分割されて制御される
請求項１に記載の表示装置。
【請求項３】
前記分離パネルにおける、前記表示パネルで表示される前記画素列の所定の幅よりも十分に小さい幅の領域は、前記表示パネルの画素列に対して所定の角度を成す直線状に配列され、かつ、視差方向に対して垂直方向に多段に分割されて制御される
請求項２に記載の表示装置。
【請求項４】
前記分離パネルは、前記表示パネルの前面、または背面に構成される
請求項１に記載の表示装置。
【請求項５】
前記分離パネルは、前記分離パネルにおける、前記表示パネルで表示される前記画素列の所定の幅よりも十分に小さい幅の領域毎に、光を透過させる状態であるか、または遮光させる状態であるかのいずれかの光の透過状態を制御することにより、前記表示パネルにおける、前記左眼用画像および右眼用画像が表示される所定の幅の画素列に対して、所定の位置関係となる前記所定の幅の遮光領域および透過領域を設定して、前記左眼用画像および右眼用画像を分離する
請求項１に記載の表示装置。
【請求項６】
前記分離パネルは、前記表示パネルに対して所定の位置関係を維持できるように貼り合わされるものであり、前記所定の位置関係から特定される前記遮光領域については、前記所定の幅の領域毎に、光を透過させる状態であるか、または遮光させる状態であるかのいずれかの光の透過状態を制御し、さらに、前記分離パネルの所定の幅の領域の近傍の、前記表示パネルで表示される前記画素列の所定の幅よりも十分に小さい幅の領域毎に、光を透過させる状態であるか、または遮光させる状態であるかのいずれかの光の透過状態を制御することにより、前記表示パネルにおける、前記左眼用画像および右眼用画像が表示される所定の幅の画素列に対して、所定の位置関係となる前記所定の幅の遮光領域および透過領域を設定して、前記左眼用画像および右眼用画像を分離する
請求項５に記載の表示装置。
【請求項７】
前記分離パネルは、パララックスバリアである
請求項６に記載の表示装置。
【請求項８】
前記分離パネルは、前記分離パネルにおける、前記表示パネルで表示される前記画素列の所定の幅よりも十分に小さい幅の領域毎に、前記光の透過状態である光の屈折率を制御することにより、前記表示パネルにおける、前記左眼用画像および右眼用画像が表示される所定の幅の画素列に対して、所定の位置関係となる前記所定の幅の遮光領域および透過領域を設定して、前記左眼用画像および右眼用画像を分離する
請求項１に記載の表示装置。
【請求項９】
前記分離パネルにおける、前記表示パネルで表示される前記画素列の所定の幅よりも十分に小さい幅の領域は、視差方向に対して垂直方向に多段に分割されて制御される
請求項８に記載の表示装置。
【請求項１０】
前記分離パネルは、液晶レンズである
請求項８に記載の表示装置。
【請求項１１】
３Ｄ画像を表示する表示装置の表示方法であって、
表示パネルにより、視差方向に対して垂直方向に左眼用画像および右眼用画像を所定の幅の画素列毎に交互に表示し、
前記表示パネルに貼り合わされる分離パネルにより、前記表示パネルで表示される前記画素列の所定の幅よりも十分に小さい幅の領域毎に、光の透過状態を制御することにより、前記表示パネルにより表示される前記左眼用画像および右眼用画像を視差方向毎に分離して透過させる
を含む表示方法。
【請求項１２】
３Ｄ画像を表示する表示装置であって、
視差方向に対して垂直方向に左眼用画像および右眼用画像を所定の幅の画素列毎に交互に表示する表示パネルと、
前記表示パネルに貼り合わされ、前記表示パネルで表示される前記画素列の所定の幅よりも十分に小さい幅の領域毎に、光の透過状態を制御することにより、前記表示パネルにより表示される前記左眼用画像および右眼用画像を視差方向毎に分離して透過させる分離パネルと
を含む表示装置を製造する方法であって、
前記分離パネルが前記表示パネルに貼り合わされた状態で、前記表示パネルと前記分離パネルとの位置関係をずれ量として測定し、
測定された前記ずれ量に応じて、前記分離パネルにおける、前記画素列の所定の幅よりも十分に小さい幅の領域毎に、前記表示パネルにおける、前記左眼用画像および右眼用画像が表示される所定の幅の画素列に対する位置関係に応じて、光の透過状態を特定し、
前記分離パネルは、前記画素列の所定の幅よりも十分に小さい幅の領域毎に、前記位置関係に応じて特定された前記光の透過状態に制御して、前記左眼用画像および右眼用画像を分離して透過させる
表示装置の製造方法。
【請求項１３】
３Ｄ画像を表示する電子機器であって、
視差方向に対して垂直方向に左眼用画像および右眼用画像を所定の幅の画素列毎に交互に表示する表示パネルと、
前記表示パネルに貼り合わされ、前記表示パネルで表示される前記画素列の所定の幅よりも十分に小さい幅の領域毎に、光の透過状態を制御することにより、前記表示パネルにより表示される前記左眼用画像および右眼用画像を視差方向毎に分離して透過させる分離パネルと
を含む電子機器。
【発明の詳細な説明】
【技術分野】
【０００１】
本技術は、表示装置および表示方法、表示装置の製造方法、並びに電子機器に関し、特に、３次元画像を視聴するための左眼用画像および右眼用画像を表示する表示パネルと、左眼用画像および右眼用画像を視差方向毎に光学的に分離する分離パネルとの貼り合わせにより生じるずれを修正し、３次元画像を鮮明に視聴できるようにした表示装置および表示方法、表示装置の製造方法、並びに電子機器に関する。
【背景技術】
【０００２】
３次元画像を裸眼で視聴できる表示技術は、左眼用画像および右眼用画像を生成し、所定の幅からなる画素列毎に、交互に表示パネルで表示する。そして、分離パネルが、表示パネルにより表示された画素列毎の左眼用画像および右眼用画像を光学的に視差角をなすように分離して透過させるようにすることで、視聴者の左右の眼に、それぞれ左眼用画像および右眼用画像を視聴させ、３次元画像として見せるというものである。
【０００３】
ところで、分離パネルは、一般にパララックスバリアに代表されるバリア方式とレンチキュラレンズなどを用いたレンズ方式とに大別される。
【０００４】
分離パネルは、３次元画像を構成する左眼用画像および右眼用画像を、所定の幅の画素列単位で表示する表示パネルの前後のいずれかに、左眼用画像および右眼用画像を、視差角をなすように、それぞれ分離して透過させる。より具体的には、分離パネルは、表示パネルの対応する左眼用画像および右眼用画像を交互に表示している画素列のうち、左眼用画像を表示している画素列から発せられる光を、視聴者の左眼の方向に透過させる。また、分離パネルは、右眼用画像を表示している画素列から発せられる光を、視聴者の右眼の方向に透過させる。すなわち、左眼用画像および右眼用画像が分離して透過される方向は、視差角をなす。
【０００５】
このため、分離パネルは、右眼用画像および左眼用画像を表示する水平方向に配置される画素列に対して、適切な位置関係を保つように表示パネルに貼り付けられなければ、適切に左眼用画像および右眼用画像を、適切な視差角をなすように、それぞれの方向に透過させることができず、結果として、適切に３次元画像を表示することができない恐れがあった。
【０００６】
そこで、分離パネルが、表示パネルに対して位置がずれて貼り付けられても対応可能な技術が提案されている（特許文献１，２参照）。
【先行技術文献】
【非特許文献】
【０００７】
【特許文献１】特開２００６−４７５０７号公報
【特許文献２】特表２００２−５１９８９７号公報
【発明の概要】
【発明が解決しようとする課題】
【０００８】
しかしながら、特許文献１に記載の技術では、ずれ幅がある程度大きな場合には効果があるが、ずれ幅が小さい場合、対応することができない恐れがある。
【０００９】
また、特許文献２の技術は、コンテンツ側で、ずれに対応しており、現実に表示パネルと分離パネルとのずれに対応して、個別にコンテンツを作成する必要がある。しかしながら、例えば、放送コンテンツなどで、表示装置ごとのずれに対応してコンテンツを作成することは現実的ではない。
【００１０】
本技術はこのような状況に鑑みてなされたものであり、特に、分離パネルと表示パネルとが貼り合わされる際、ずれが生じていても適切にずれを補正して３次元画像を適切に表示できるようにするものである。
【課題を解決するための手段】
【００１１】
本技術の第１の側面の表示装置は、３Ｄ画像を表示する表示装置であって、視差方向に対して垂直方向に左眼用画像および右眼用画像を所定の幅の画素列毎に交互に表示する表示パネルと、前記表示パネルに貼り合わされ、前記表示パネルで表示される前記画素列の所定の幅よりも十分に小さい幅の領域毎に、光の透過状態を制御することにより、前記表示パネルにより表示される前記左眼用画像および右眼用画像を視差方向毎に分離して透過させる分離パネルとを含む。
【００１２】
前記分離パネルにおける、前記表示パネルで表示される前記画素列の所定の幅よりも十分に小さい幅の領域は、視差方向に対して垂直方向に多段に分割されて制御されるようにすることができる。
【００１３】
前記分離パネルにおける、前記表示パネルで表示される前記画素列の所定の幅よりも十分に小さい幅の領域は、前記表示パネルの画素列に対して所定の角度を成す直線状に配列され、かつ、視差方向に対して垂直方向に多段に分割されて制御されるようにすることができる。
【００１４】
前記分離パネルは、前記表示パネルの前面、または背面に構成されるようにすることができる。
【００１５】
前記分離パネルは、前記分離パネルにおける、前記表示パネルで表示される前記画素列の所定の幅よりも十分に小さい幅の領域毎に、光を透過させる状態であるか、または遮光させる状態であるかのいずれかの光の透過状態を制御することにより、前記表示パネルにおける、前記左眼用画像および右眼用画像が表示される所定の幅の画素列に対して、所定の位置関係となる前記所定の幅の遮光領域および透過領域を設定して、前記左眼用画像および右眼用画像を分離させるようにすることができる。
【００１６】
前記分離パネルは、前記表示パネルに対して所定の位置関係を維持できるように貼り合わされるものであり、前記所定の位置関係から特定される前記遮光領域については、前記所定の幅の領域毎に、光を透過させる状態であるか、または遮光させる状態であるかのいずれかの光の透過状態を制御し、さらに、前記分離パネルの所定の幅の領域の近傍の、前記表示パネルで表示される前記画素列の所定の幅よりも十分に小さい幅の領域毎に、光を透過させる状態であるか、または遮光させる状態であるかのいずれかの光の透過状態を制御することにより、前記表示パネルにおける、前記左眼用画像および右眼用画像が表示される所定の幅の画素列に対して、所定の位置関係となる前記所定の幅の遮光領域および透過領域を設定して、前記左眼用画像および右眼用画像を分離させるようにすることができる。
【００１７】
前記分離パネルは、パララックスバリアとすることができる。
【００１８】
前記分離パネルは、前記分離パネルにおける、前記表示パネルで表示される前記画素列の所定の幅よりも十分に小さい幅の領域毎に、前記光の透過状態である光の屈折率を制御することにより、前記表示パネルにおける、前記左眼用画像および右眼用画像が表示される所定の幅の画素列に対して、所定の位置関係となる前記所定の幅の遮光領域および透過領域を設定して、前記左眼用画像および右眼用画像を分離させるようにすることができる。
【００１９】
前記分離パネルにおける、前記表示パネルで表示される前記画素列の所定の幅よりも十分に小さい幅の領域は、視差方向に対して垂直方向に多段に分割されて制御されるようにすることができる。
【００２０】
前記分離パネルは、液晶レンズとすることができる。
【００２１】
本技術の第１の側面の表示方法は、３Ｄ画像を表示する表示装置の表示方法であって、表示パネルにより、視差方向に対して垂直方向に左眼用画像および右眼用画像を所定の幅の画素列毎に交互に表示し、前記表示パネルに貼り合わされる分離パネルにより、前記表示パネルで表示される前記画素列の所定の幅よりも十分に小さい幅の領域毎に、光の透過状態を制御することにより、前記表示パネルにより表示される前記左眼用画像および右眼用画像を視差方向毎に分離して透過させるを含む。
【００２２】
本技術の第２の側面の表示装置の製造方法は、３Ｄ画像を表示する表示装置であって、視差方向に対して垂直方向に左眼用画像および右眼用画像を所定の幅の画素列毎に交互に表示する表示パネルと、前記表示パネルに貼り合わされ、前記表示パネルで表示される前記画素列の所定の幅よりも十分に小さい幅の領域毎に、光の透過状態を制御することにより、前記表示パネルにより表示される前記左眼用画像および右眼用画像を視差方向毎に分離して透過させる分離パネルとを含む表示装置を製造する方法であって、前記分離パネルが前記表示パネルに貼り合わされた状態で、前記表示パネルと前記分離パネルとの位置関係をずれ量として測定し、測定された前記ずれ量に応じて、前記分離パネルにおける、前記画素列の所定の幅よりも十分に小さい幅の領域毎に、前記表示パネルにおける、前記左眼用画像および右眼用画像が表示される所定の幅の画素列に対する位置関係に応じて、光の透過状態を特定し、前記分離パネルは、前記画素列の所定の幅よりも十分に小さい幅の領域毎に、前記位置関係に応じて特定された前記光の透過状態に制御して、前記左眼用画像および右眼用画像を分離して透過させる。
【００２３】
本技術の第３の側面の電子機器は、３Ｄ画像を表示する電子機器であって、視差方向に対して垂直方向に左眼用画像および右眼用画像を所定の幅の画素列毎に交互に表示する表示パネルと、前記表示パネルに貼り合わされ、前記表示パネルで表示される前記画素列の所定の幅よりも十分に小さい幅の領域毎に、光の透過状態を制御することにより、前記表示パネルにより表示される前記左眼用画像および右眼用画像を視差方向毎に分離して透過させる分離パネルとを含む。
【００２４】
本技術の第１および第３の側面においては、表示パネルにより、視差方向に対して垂直方向に左眼用画像および右眼用画像が所定の幅の画素列毎に交互に表示され、前記表示パネルに貼り合わされた分離パネルにより、前記表示パネルで表示される前記画素列の所定の幅よりも十分に小さい幅の領域毎に、光の透過状態が制御されることにより、前記表示パネルにより表示される前記左眼用画像および右眼用画像が視差方向毎に分離されて透過される。
【００２５】
本技術の第２の側面においては、表示パネルにより、視差方向に対して垂直方向に左眼用画像および右眼用画像が所定の幅の画素列毎に交互に表示され、前記表示パネルに貼り合わされた分離パネルにより、前記表示パネルで表示される前記画素列の所定の幅よりも十分に小さい幅の領域毎に、光の透過状態が制御されることにより、前記表示パネルにより表示される前記左眼用画像および右眼用画像が視差方向毎に分離されて透過される表示装置が、前記分離パネルが前記表示パネルに貼り合わされた状態で、前記表示パネルと前記分離パネルとの位置関係がずれ量として測定され、測定された前記ずれ量に応じて、前記分離パネルにおける、前記画素列の所定の幅よりも十分に小さい幅の領域毎に、前記表示パネルにおける、前記左眼用画像および右眼用画像が表示される所定の幅の画素列に対する位置関係に応じて、光の透過状態が特定され、前記分離パネルにより、前記画素列の所定の幅よりも十分に小さい幅の領域毎に、前記位置関係に応じて特定された前記光の透過状態に制御されて、前記左眼用画像および右眼用画像が分離されて透過される。
【発明の効果】
【００２６】
本技術によれば、３次元画像を表示するための左眼用画像および右眼用画像を表示する表示パネルに対して、左眼用画像および右眼用画像を、視差角をなすように分離する分離パネルがずれて貼り付けられても、ずれを補正して、適切に３次元画像を表示することが可能となる。
【図面の簡単な説明】
【００２７】
【図１】本技術であるディスプレイを適用したテレビジョン受像機の一実施の形態の構成例を示す図である。
【図２】背面バリア型のディスプレイの構成例を示す図である。
【図３】前面バリア型のディスプレイの構成例を示す図である。
【図４】細線化透過領域を説明する図である。
【図５】細線化垂直多段型透過領域を説明する図である。
【図６】細線化補助透過領域を説明する図である。
【図７】前面バリア型のディスプレイのその他の構成例を示す図である。
【図８】細線化された液晶領域を説明する図である。
【図９】ディスプレイの製造装置を説明する図である。
【図１０】ディスプレイの製造処理を説明するフローチャートである。
【発明を実施するための最良の形態】
【００２８】
以下、発明を実施するための形態（以下実施の形態とする）について説明する。なお、説明は以下の順序で行なう。
１．第１の実施の形態（バリアパネルを用いた細線化透過領域によりずれを修正する例）
２．第２の実施の形態（バリアパネルを用いた細線化垂直多段化透過領域によりずれを修正する例）
３．第３の実施の形態（バリアパネルを用いた細線化補助透過領域によりずれを修正する例）
４．第４の実施の形態（液晶レンズを用いた細線化液晶領域によりずれを修正する例）
５．第５の実施の形態（分離パネルの製造装置の例）
【００２９】
＜１．第１の実施の形態＞
［テレビジョン受像機の構成例］
図１は、本技術の表示装置であるディスプレイを適用したテレビジョン受像機の一実施の形態の構成例を示している。図１のテレビジョン受像機１は、３次元画像を構成する左眼用画像および右眼用画像を、所定の幅の画素列毎に交互に表示すると共に、視差角をなすように、左眼用画像および右眼用画像を分離して透過させることにより、裸眼の視聴者に３次元画像を視聴させる。より詳細には、テレビジョン受像機１により表示される左眼用画像および右眼用画像は、それぞれの視差角が視聴者である人間の左右の眼の間隔に対応している。このため、視聴者は、裸眼によりテレビジョン受像機１より表示された左眼用画像および右眼用画像を左右の眼で視聴することにより、３次元画像を視聴することが可能となっている。
【００３０】
テレビジョン受像機１は、CPU(Central Processing Unit)１１、ROM(Read Only Memory)１２、RAM(Random Access Memory)１３、バス１４、入出力インタフェース１５、入力部１６、出力部１７、記憶部１８、通信部１９、チューナ２０、およびドライブ２１を備えている。
【００３１】
CPU１１は、テレビジョン受像機１の動作の全体を制御している。CPU１１にはバス１４を介して、入出力インタフェース１５が接続されている。バス１４には、ROM１２およびRAM１３が接続されている。
【００３２】
入出力インタフェース１５には、入力部１６、出力部１７、記憶部１８、通信部１９、チューナ２０、およびドライブ２１が接続されている。入力部１６は、視聴者がチューナ２０で受信する信号のチャンネルの選択や、音声ボリュームなどを入力するキーボード、またはボタンなどの入力デバイスや、図示せぬリモートコントローラより構成される。出力部１７は、入力部１６により指定されたチャンネルの放送波を受信することにより得られる音声信号や３次元画像または２次元画像の画像信号に基づいて、スピーカ３１より音声を出力させると共に、本技術を適用した表示装置からなるディスプレイ３２に３次元画像、または２次元画像を表示させる。
【００３３】
記憶部１８は、例えば、ハードディスクドライブなどから構成されており、各種のデータやプログラムを記憶している。通信部１９は、LAN（Local Area Network）アダプタなどよりなり、インターネットに代表されるネットワークを介した通信処理を実行する。チューナ２０は、入力部１６により選択されたチャンネルの放送信号を受信し、受信した放送信号を出力部１７に供給する。
【００３４】
ドライブ２１は、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア２２に対してデータを読み書きする。
【００３５】
尚、本技術を適用した表示装置をディスプレイ３２に用いたテレビジョン受像機１を例にして説明するものとするが、表示装置を備えた電子機器であれば、テレビジョン受像機１以外の電子機器であってもよく、例えば、携帯電話機などでもよい。
【００３６】
［ディスプレイの構成例］
次に、図２，図３の側面断面図を参照して、ディスプレイ３２の構成例について説明する。
【００３７】
ディスプレイ３２は、３次元画像を視聴可能な左眼用画像および右眼用画像を表示する。より具体的には、ディスプレイ３２は、表示パネル５１、パララックスバリアからなるバリアパネル５２、バックライト５３、および制御部５４を備えている。パララックスバリアからなるバリアパネル５２は、図２で示されるように表示パネル５１の背面に設けられる場合と、図３で示されるように、表示パネル５１の前面に設けられる場合とがあり、その背後にバックライト５３が設けられる。バリアパネル５２は、図２，図３のいずれでも示されるように、液晶からなる白色で示される透過領域と、黒色で示される遮光領域とに、電気的な信号の入力の有無により切り替える。
【００３８】
制御部５４は、表示パネル５１、バリアパネル５２、およびバックライト５３を制御する。より詳細には、制御部５４は、表示パネル制御部７１、バリアパネル制御部７２、およびバックライト制御部７３を備えている。表示パネル制御部７１は、出力部１７より供給されてくる放送信号に基づいた画像信号に基づいて、表示パネル５１に２次元画像および３次元画像を表示させる。尚、図２，図３においては、表示パネル５１において３次元画像が表示されている状態を示している。すなわち、表示パネル５１は、表示パネル制御部７１により制御されて、図２，図３で示されるように、視差角により特定される所定の幅の画素列毎に、左眼用画像Ｌｎ（ｎ＝０，１，２・・・）、および右眼用画像Ｒｎ（ｎ＝０，１，２・・・）を、視差角をなす水平方向に対して交互に配置して表示する。
【００３９】
バリアパネル制御部７２は、３次元画像を表示するとき、バリアパネル５２を制御して、表示パネル５１上で表示される左眼用画像および右眼用画像を表示する所定の幅の画素列に対応する位置に応じて、所定の幅の画素列を遮光または透過するように制御する。
【００４０】
バックライト制御部７３は、最背面よりバリアパネル５２、および表示パネル５１を透過するように光を照射する。これにより、表示パネル５１により表示された色が発色することになる。
【００４１】
すなわち、図２のバリアパネル５２で示されるように、左眼用画像および右眼用画像の境界を中心とした位置に透過領域が設定されている。尚、図２，図３のバリアパネル５２においては、白色の領域が透過領域であり、黒色の領域が遮光領域である。バリアパネル５２により、図２で示されるような遮光領域が構成されることにより、例えば、左眼用画像Ｌ１および右眼用画像Ｒ１が対になっている場合、矢印で示されるように、同一の透過領域を所定の視差角を成す角度で透過されるバックライト５３の光により、左眼用画像Ｌ１および右眼用画像Ｒ１が表示される。また、図３においても、バリアパネル５２により、図３で示されるような透過領域が構成されることにより、例えば、左眼用画像Ｌ１および右眼用画像Ｒ１が対になっている場合、矢印で示されるように、同一の透過領域を所定の視差角を成す角度で左眼用画像Ｌ１および右眼用画像Ｒ１の光が透過する。結果として、いずれにおいても、視聴者の左右の眼では、左眼用画像Ｌ１および右眼用画像Ｒ１がそれぞれ視聴されることになるので、３次元画像として視聴することが可能となる。
【００４２】
表示パネル５１およびバリアパネル５２による３次元画像を表示する原理については、上述した通りであるが、以降において、図２で示されるように表示パネル５１に対してバリアパネル５２が背面に構成されたディスプレイ３２については、背面バリア型と称するものとし、図３で示されるように表示パネル５１に対してバリアパネル５２が前面に構成されたディスプレイ３２については、表面バリア型と称するものとする。
【００４３】
［透過領域の細線化］
上述したように、通常、バリアパネル５２による透過領域がディスプレイ３２の表示方向に対して垂直方向である場合、図４の左部で示されるように、左眼用画像の画素列ＰＬ１乃至ＰＬ３、および右眼用画像の画素列ＰＲ１乃至ＰＲ３に対して、その中央部の近傍の所定の幅の範囲が透過領域Ｂ１として設定される。
【００４４】
従来のバリアパネル５２においては、この透過領域Ｂ１の位置が製造された段階で、特定されており、それらの領域をオンオフする電極を付して、通電するときその領域の遮光をオンにし、逆に通電を停止することで遮光をオフとする構成になっていた。
【００４５】
ところで、ディスプレイ３２の製作工程においては、バックライト５３上に表示パネル５１およびバリアパネル５２の順序で貼り合わされるか、または、バックライト５３上にバリアパネル５２および表示パネル５１の順序で貼り合わされる。
【００４６】
このため、表示パネル５１およびバリアパネル５２の貼り合わせ時に、例えば、図４の中央部の透過領域Ｂ２で示されるように、左眼用画像の画素列ＰＬ１乃至ＰＬ３、および右眼用画像の画素列ＰＲ１乃至ＰＲ３に対して、その中央位置より図中の水平右方向にずれてしまうようなことがある。このような場合、図２または図３で示したように、対になる左眼用画像Ｌ１および右眼用画像Ｒ１とが適切に視差角をなすように分離して透過せず、視聴者には３次元画像として認識し難い状態となる恐れがあった。
【００４７】
そこで、本技術を適用したバリアパネル５２においては、透過領域として選択可能な範囲を広げて、かつ、個々の透過領域を細線化し、複数の細線化した透過領域（以下、細線化透過領域）のうち、表示パネル５１を貼り合せた状態において、透過すべき範囲の細線化透過領域で遮光をオフに設定し、それ以外の細線化透過領域の遮光をオンに設定するようにしている。このような構成により、表示パネル５１およびバリアパネル５２の貼り合わせ時に、水平方向のずれが生じても適切に透過領域を設定できるようになされている。尚、この表示パネル５１およびバリアパネル５２の貼り合わせ時に、生じるずれを、以降においては、貼り合わせずれと称するものとする。
【００４８】
すなわち、図４の右部で示されるように、図４の左部で示される、従来の透過領域Ｂ１に対応する範囲であって、その範囲よりも広い範囲に、細線化透過領域Ｂ１１乃至Ｂ１７が設定されている。例えば、表示パネル５１およびバリアパネル５２の貼り合わせ時に、図４の中央部の実線の透過領域Ｂ２で示されるように、左眼用画像の画素列ＰＬ１乃至ＰＬ３、および右眼用画像の画素列ＰＲ１乃至ＰＲ３の中央位置より水平右方向にずれているものとする。しかしながら、本技術を適用したバリアパネル３２においては、細線化透過領域Ｂ１１乃至Ｂ１７が設定されているため、透過領域として設定すべき、左眼用画像の画素列ＰＬ１乃至ＰＬ３、および右眼用画像の画素列ＰＲ１乃至ＰＲ３の中央位置近傍の本来透過領域が設定されるべき範囲の、細線化透過領域Ｂ１３乃至Ｂ１５の遮光をオフに設定することにより、適切に透過領域を設定することが可能となる。
【００４９】
すなわち、表示パネル５１およびバリアパネル５２が貼り合わされるとき、左眼用画像の画素列ＰＬ１乃至ＰＬ３、および右眼用画像の画素列ＰＲ１乃至ＰＲ３の中央位置の近傍の範囲より広い範囲において、細線化透過領域Ｂ１１乃至Ｂ１７が設定されることで、貼り合わせずれが生じても、左眼用画像の画素列ＰＬ１乃至ＰＬ３、および右眼用画像の画素列ＰＲ１乃至ＰＲ３の中央位置の近傍の範囲に対応する、細線化透過領域を選択的に透過させることで、貼り合わせによりずれが生じても、透過領域を適切に修正することが可能となる。
【００５０】
＜２．第２の実施の形態＞
［細線化透過領域の垂直方向の多段化］
以上のバリアパネル５２においては、透過領域を設定すべき範囲の、視差角をなす方向に対して垂直方向に細線化透過領域を設定し、それらを選択的に透過させることで、貼り合わせずれを修正させる例について説明してきた。すなわち、視差角をなす方向に対して垂直方向に設定された細線化透過領域を用いる場合、ずれが水平方向に生じた場合には修正可能である。しかしながら、図５の左部の透過領域Ｂ１で示されるように、正常な位置に貼り合わせずれが生じないようにできず、例えば、図５の中央部の透過領域Ｂ３１で示されるように、垂直方向に対して所定の角度φだけ回転してしまうようなずれが生じた場合、垂直方向に細線化透過領域が設定されても、修正できない恐れがある。
【００５１】
そこで、細線化透過領域を垂直方向に対して多段化することで、貼り合わせずれが、回転してしまうような場合でも修正できるようにすることができる。
【００５２】
すなわち、図５の右部で示されるように、細線化透過領域を垂直方向に多段化した、細線化垂直多段化透過領域Ｂ４１乃至Ｂ４７，Ｂ５１乃至Ｂ５７を、透過領域を設定すべき範囲と、その近傍の範囲に設定する。尚、図５の細線化垂直多段化透過領域Ｂ４１乃至Ｂ４７、およびＢ５１乃至Ｂ５７は、さらに、垂直方向に対して所定の角度が付されており、斜線状の形状とされている。
【００５３】
このような構成により、図５の右部の細線化垂直多段化透過領域のうち、図中において色が付された細線化垂直多段化透過領域Ｂ４４乃至Ｂ４６，Ｂ５１乃至Ｂ５７の遮光をオフに設定し、それ以外の細線化垂直多段化透過領域については、遮光をオンに設定することにより、表示パネル５１およびバリアパネル５２の貼り合わせにより、回転してしまうようなずれが生じても透過領域を修正することが可能となる。
【００５４】
尚、図５の右部においては、細線化垂直多段化透過領域Ｂ４１乃至Ｂ４７，Ｂ５１乃至Ｂ５７で示されるように、右下がりの斜線状の形状とされ、かつ、２段に多段化されているが、垂直方向に多段化されていればよく、左下がりの斜線状の形状とするようにしてもよいし、垂直の直線状の形状とするようにしてもよい。また、図５の右部においては、上下２段とされているが、それ以上の段数であってもよい。
【００５５】
＜３．第３の実施の形態＞
［透過領域の補助細線付加］
以上においては、透過領域として設定の必要な範囲と、その近傍に、細線化透過領域、または、細線化垂直多段化透過領域を設けることにより、貼り合わせずれを修正させる例について説明してきた。しかしながら、表示パネル５１およびバリアパネル５２は、所定の精度で貼り合わされるので、透過領域として設定が必要な範囲に対して、そのずれはそれ程大きなものではないことが多い。そこで、本来の透過領域は、従来のように細線化しない状態で設定し、ずれが生じる大きさとして見込まれる範囲に細線化透過領域を補助的に付加する細線化補助透過領域を設けるようにして、貼り合わせずれが生じた範囲のみを、細線化透過領域で制御できるようにしてもよい。このような構成とすることにより、貼り合わせずれを修正できるようにしつつ、透過領域が細線化されることにより必要となる制御用の配線を節約することが可能となる。
【００５６】
すなわち、図６の上部で示されるように、バリアパネル５２は、予め従来の透過領域と同様な透過領域Ｂ１０１が設けられており、さらに、その左右の領域に、上下２段に分割された細線化補助透過領域Ｂ１１１，Ｂ１１２，Ｂ１２１，Ｂ１２２，Ｂ１３１，Ｂ１３２，Ｂ１４１，Ｂ１４２が設けられている。透過領域Ｂ１０１、並びに細線化補助透過領域Ｂ１１１，Ｂ１１２，Ｂ１２１，Ｂ１２２，Ｂ１３１，Ｂ１３２，Ｂ１４１，Ｂ１４２には、それぞれの透過をオンまたはオフに切り替えるために、バリアパネル制御部７２からの電力供給を受ける配線Ｃ１０１，Ｃ１１１，Ｃ１１２，Ｃ１２１，Ｃ１２２，Ｃ１３１，Ｃ１３２，Ｃ１４１，Ｃ１４２が設けられている。
【００５７】
従って、例えば、貼り合わせずれが、水平左方向である場合、図６の左下部で示されるように、バリアパネル制御部７２は、配線Ｃ１０１，Ｃ１１２，Ｃ１３２に対して、遮光をオフにするよう電力の供給を停止することで、透過領域Ｂ１０１、および細線化補助透過領域Ｂ１１２，Ｂ１３２の遮光がオフにされ、透過状態にされる。このため、貼り合わせずれが、水平左方向であるような場合でも、透過領域Ｂ１０１に対して左方向に細線化補助透過領域Ｂ１１２，Ｂ１３２を補助的に透過状態にすることで、透過領域を修正することが可能となる。
【００５８】
また、例えば、貼り合わせずれが、右上がりに回転するような場合、図６の中央下部で示されるように、バリアパネル制御部７２は、配線Ｃ１０１，Ｃ１２１，Ｃ１３２に対して、遮光をオフにするよう電力の供給を停止することで、透過領域Ｂ１０１、および細線化補助透過領域Ｂ１２１，Ｂ１３２の遮光がオフにされ、透過状態とされる。このため、貼り合わせずれが、右上がりに回転するような場合でも、細線化補助透過領域Ｂ１２１，Ｂ１３２を補助的に透過状態にすることで、透過領域を右上がり方向に付加することができるので、透過領域を修正することが可能となる。
【００５９】
さらに、例えば、貼り合わせずれが、右下がりに回転するような場合、図６の右下部で示されるように、バリアパネル制御部７２は、配線Ｃ１０１，Ｃ１２２，Ｃ１４１に対して、遮光をオフにするよう電力の供給を停止することで、透過領域Ｂ１０１、および細線化補助透過領域Ｂ１２２，Ｂ１４１の遮光がオフにされ、透過状態とされる。このため、貼り合わせずれが、右下がりに回転するような場合でも、細線化補助透過領域Ｂ１２１，Ｂ１３２を補助的に透過状態にすることで、透過領域を右下がり方向に付加することができるので、透過領域を修正することが可能となる。
【００６０】
また、図６で示されるように、細線化補助透過領域を設定することにより、表示パネル５１との貼り合わせによるずれが生じ難く、修正の必要がないことが予想される透過領域が残されることにより、全体を細線化透過領域とするよりも、透過を制御するための配線数を減らすことが可能となるため、バリアパネル５２の製造の手間とコストを低減することが可能になると共に、バリアパネル５２の制御負荷を低減することが可能となる。
【００６１】
尚、図４乃至図６においては、１組の左眼用画像および右眼用画像の画素列に必要とされる透過領域、細線化透過領域、および細線化補助透過領域が示されているが、現実には、左眼用画像および右眼用画像の画素列の数だけ、同様の構成が水平方向に配置される。
【００６２】
＜４．第４の実施の形態＞
［ディスプレイのその他の構成例］
以上においては、左眼用画像および右眼用画像を光学的に分離するパネルとして、パララックスバリアなどからなるバリアパネル５２を用いた例について説明してきたが、液晶レンズなどにより構成するパネルを用いるようにしてもよい。
【００６３】
図７は、左眼用画像および右眼用画像を光学的に分離するパネルとして、液晶レンズを利用した液晶レンズパネル９１を用いるようにしたディスプレイ３２の構成例を示している。尚、図３のディスプレイ３２と同様の機能を備えた構成については、同一の名称、および同一の符号を付しており、適宜その説明は省略するものとする。
【００６４】
すなわち、図８のディスプレイ３２においては、バリアパネル５２に代えて、液晶レンズパネル９１が設けられており、対応して、制御部５４において、バリアパネル制御部７２に代えて、液晶レンズパネル制御部１０１が設けられている点で異なる。
【００６５】
液晶レンズパネル９１は、左眼用画像および右眼用画像を表示する画素列に対応する所定の幅毎に、垂直方向に複数の微細な幅の液晶領域を電極に供給する電圧の印加の有無で制御することで、印加された電圧に応じて変化する液晶領域毎の異なる屈折率を利用してレンズとして機能させるものである。液晶レンズパネル９１も、透過領域を利用したバリアパネル５２と同様に、左眼用画像および右眼用画像を光学的に分離するものである。
【００６６】
より詳細には、例えば、図８の上部の液晶レンズパネル９１で示されるように、垂直方向に細線化されている液晶領域Ｂ２０１−１乃至Ｂ２０５−１，Ｂ２０１−２乃至Ｂ２０５−２，Ｂ２０１−３乃至Ｂ２０５−３が設けられている。そして、このうち、液晶領域２０１−１乃至２０１−３が、配線Ｃ２０１に接続され、液晶領域２０２−１乃至２０２−３が、配線Ｃ２０２に接続され、液晶領域Ｂ２０３−１乃至Ｂ２０３−３が、配線Ｃ２０３に接続されている。また、液晶領域Ｂ２０４−１乃至Ｂ２０４−３が、配線Ｃ２０４に接続され、液晶領域２０５−１乃至２０５−３が、配線Ｃ２０５に接続されている。
【００６７】
配線Ｃ２０１乃至Ｃ２０５に印加する電圧を、制御することにより水平方向に焦点位置を変化させる事が可能となる。すなわち、図８の上部においては、垂直方向に直線状に液晶領域が、配線Ｃ２０１乃至Ｃ２０５に対応して５列単位で制御可能な構成とされている。このため、例えば、液晶領域Ｂ２０１−１乃至Ｂ２０５−１のうち、液晶領域Ｂ２０３−１が水平方向の焦点位置となるように、液晶レンズパネル制御部１０１が、配線Ｃ２０１乃至Ｃ２０５に対して５種類の電圧を印加する。このように電圧が印加されることにより、垂直方向に縦長であって、液晶領域Ｂ２０３−１の正面位置が焦点となるレンズ２１１−１が構成されることになる。この場合、Ｂ２０１−２乃至Ｂ２０５−２，Ｂ２０１−３乃至Ｂ２０５−３にも、それぞれ同様の電圧が印加されることになるので、それぞれ垂直方向に縦長のレンズ２１１−２，２１１−３が構成される。この結果、それぞれのレンズ２１１−１乃至２１１−３が構成された位置に対応して、表示パネル５１において、左眼用画像および右眼用画像を表示する画素列が構成されることにより、左眼用画像および右眼用画像が光学的に分離される。
【００６８】
また、例えば、貼り合わせずれが、左方向に液晶領域１列分である場合、液晶領域Ｂ２０１−２乃至Ｂ２０５−２により構成されるレンズ２１１−２について考えると、水平方向の焦点位置を液晶領域Ｂ２０３−２から液晶領域Ｂ２０２−２にずらす必要が生じることになる。
【００６９】
そこで、このような場合には、液晶領域Ｂ２０５−１乃至Ｂ２０４−２（Ｂ２０５−１，Ｂ２０１−２，Ｂ２０２−２，Ｂ２０３−２，Ｂ２０４−２）により、Ｂ２０２−２が焦点位置となるレンズ２１１を新たに構成できるように、液晶レンズパネル制御部１０１は、配線Ｃ２０１乃至Ｃ２０５に印加する電圧を変更して印加する。すなわち、図８の上部で示されるレンズ２１１−１乃至２１１−３を構成する際、配線Ｃ２０１乃至Ｃ２０５にそれぞれ電圧Ｖ２０１乃至Ｖ２０５を印加していた場合、液晶レンズパネル９１および表示パネル５１が貼り合わされることにより、水平方向に液晶領域について１列分ずれたときには、液晶レンズパネル制御部１０１は、配線Ｃ２０１に対しては電圧Ｖ２０５を、配線Ｃ２０２に対しては電圧Ｖ２０１を、配線Ｃ２０３に対しては電圧Ｖ２０２を、配線Ｃ２０４に対しては電圧Ｖ２０３を、配線Ｃ２０５に対しては電圧Ｖ２０１を、それぞれ印加する。このように液晶領域１列分だけずらすように印加電圧を変更することにより、レンズ２１１−１乃至２１１−３は、それぞれ水平方向に液晶領域について１列分だけ左方向にシフトして構成されることになるので、ずれを修正することが可能となる。尚、当然のことながら、液晶領域の水平方向の幅については、バリアパネル５２の透過領域を細線化した場合と同様のレベルでレンズの構成位置を変更できる程度に細線化されている必要がある。
【００７０】
以上においては、液晶レンズを水平方向に１段設ける場合について説明してきたが、この例においても、バリアパネル５２を用いた場合と同様に、水平方向のずれにしか対応することができない。従って、バリアパネル５２を多段化した場合と同様に、液晶レンズについても多段化することで、貼り合わせずれが、垂直方向に対して所定の角度を成す回転するような場合でも修正することができる。
【００７１】
図８の下部に示される液晶レンズパネル９１は、図８の上部で示される液晶レンズパネル９１の液晶領域を、上下に２段で多段化して制御できるように構成されている。具体的には、上段部に液晶領域Ｂ２５１−１乃至Ｂ２５５−１，Ｂ２５１−２乃至Ｂ２５５−２，Ｂ２５１−３乃至Ｂ２５５−３が設けられている。また、液晶領域Ｂ２５１−１乃至Ｂ２５１−３に配線Ｃ２５１が接続され、液晶領域Ｂ２５２−１乃至Ｂ２５２−３に配線Ｃ２５２が接続され、液晶領域Ｂ２５３−１乃至Ｂ２５３−３に配線Ｃ２５３が接続されている。さらに、液晶領域Ｂ２５４−１乃至Ｂ２５４−３に配線Ｃ２５４が接続され、液晶領域Ｂ２５５−１乃至Ｂ２５５−３に配線Ｃ２５５が接続されている。同様に、下段部に液晶領域Ｂ２６１−１乃至Ｂ２６５−１，Ｂ２６１−２乃至Ｂ２６５−２，Ｂ２６１−３乃至Ｂ２６５−３が設けられている。また、液晶領域Ｂ２６１−１乃至Ｂ２６１−３に配線Ｃ２６１が接続され、液晶領域Ｂ２６２−１乃至Ｂ２６２−３に配線Ｃ２６２が接続され、液晶領域Ｂ２６３−１乃至Ｂ２６３−３に配線Ｃ２６３が接続されている。さらに、液晶領域Ｂ２６４−１乃至Ｂ２６４−３に配線Ｃ２６４が接続され、液晶領域Ｂ２６５−１乃至Ｂ２６５−３に配線Ｃ２６５が接続されている。
【００７２】
このような構成により、液晶領域Ｂ２５１−２乃至Ｂ２５５−２、および液晶領域Ｂ２６１−２乃至Ｂ２６５−２において、適切な状態でレンズが構成されるように、液晶レンズパネル制御部１０１より配線Ｃ２５１乃至Ｃ２５５，Ｃ２６１乃至Ｃ２６５に電圧が印加されると、図８の上部で示される場合と同様なレンズ２１１−１乃至２１１−３が構成されることになる。
【００７３】
一方、液晶レンズパネル９１および表示パネル５１が貼り合わされることにより生じる貼り合わせずれが、液晶領域について２列分だけ水平左方向である場合、液晶領域Ｂ２５４−１乃至Ｂ２５３−２、および液晶領域Ｂ２６４−１乃至Ｂ２６３−２において、図８の左下部で示されるように、レンズ２１１−１１乃至２１１−１３が構成されるようにする必要がある。このため、液晶レンズパネル制御部１０１は、配線Ｃ２５１乃至Ｃ２５５，Ｃ２６１乃至Ｃ２６５に対して、印加する電圧を変化させる。例えば、図８の上部で示されるレンズ２１１−１乃至２１１−３を構成できるようにしたとき、配線Ｃ２５１乃至Ｃ２５５，Ｃ２６１乃至Ｃ２６５にそれぞれ電圧Ｖ２５１乃至Ｖ２５５およびＶ２６１乃至Ｖ２６５が印加されたものとする。
【００７４】
液晶レンズパネル制御部１０１は、図８の左下部で示されるように、レンズ２１１−１１乃至２１１−１３が構成されるようにするために、配線Ｃ２５１に対しては電圧Ｖ２５３を、配線Ｃ２５２に対しては電圧Ｖ２５４を、配線Ｃ２５３に対しては電圧Ｖ２５５を、配線Ｃ２５４に対しては電圧Ｖ２５１を、配線Ｃ２５５に対しては電圧Ｖ２５２を、それぞれ印加する。また、液晶レンズパネル制御部１０１は、配線Ｃ２６１に対しては電圧Ｖ２６３を、配線Ｃ２６２に対しては電圧Ｖ２６４を、配線Ｃ２６３に対しては電圧Ｖ２６５を、配線Ｃ２６４に対しては電圧Ｖ２６１を、配線Ｃ２６５に対しては電圧Ｖ２６２を、それぞれ印加する。
【００７５】
結果として、水平方向に対する貼り合わせずれが生じても修正することが可能となる。
【００７６】
また、液晶レンズパネル９１および表示パネル５１が貼り合わされることにより生じる貼り合わせずれが、液晶領域について右上がりに回転するような場合、図８の中央下部で示されるように、右上がりのレンズ２１１−２１乃至２１１−２３が構成されるように、配線Ｃ２５１乃至Ｃ２５５，Ｃ２６１乃至Ｃ２６５に対して電圧を印加する。例えば、図８の上部で示されるレンズ２１１−１乃至２１１−３を構成できるようにしたとき、配線Ｃ２５１乃至Ｃ２５５，Ｃ２６１乃至Ｃ２６５にそれぞれ電圧Ｖ２５１乃至Ｖ２５５およびＶ２６１乃至Ｖ２６５が印加されたものとする。
【００７７】
液晶レンズパネル制御部１０１は、図８の中央下部で示されるように、レンズ２１１−２１乃至２１１−２３が構成されるようにするために、配線Ｃ２５１に対しては電圧Ｖ２５５を、配線Ｃ２５２に対しては電圧Ｖ２５１を、配線Ｃ２５３に対しては電圧Ｖ２５２を、配線Ｃ２５４に対しては電圧Ｖ２５３を、配線Ｃ２５５に対しては電圧Ｖ２５４を、それぞれ印加する。また、液晶レンズパネル制御部１０１は、配線Ｃ２６１に対しては電圧Ｖ２６２を、配線Ｃ２６２に対しては電圧Ｖ２６３を、配線Ｃ２６３に対しては電圧Ｖ２６４を、配線Ｃ２６４に対しては電圧Ｖ２６５を、配線Ｃ２６５に対しては電圧Ｖ２６１を、それぞれ印加する。
【００７８】
結果として、貼り合わせずれが、右上がりに回転するような場合でも修正することが可能となる。
【００７９】
さらに、液晶レンズパネル９１および表示パネル５１が貼り合わされることにより生じる貼り合わせずれが、液晶領域について右下がりに回転するような場合、図８の右下部で示されるように、レンズ２１１−３１乃至２１１−３３が構成されるように、配線Ｃ２５１乃至Ｃ２５５，Ｃ２６１乃至Ｃ２６５に対して電圧を印加する必要がある。例えば、図８の上部で示されるレンズ２１１−１乃至２１１−３を構成できるようにしたとき、配線Ｃ２５１乃至Ｃ２５５，Ｃ２６１乃至Ｃ２６５にそれぞれ電圧Ｖ２５１乃至Ｖ２５５およびＶ２６１乃至Ｖ２６５が印加されたものとする。
【００８０】
液晶レンズパネル制御部１０１は、図８の右下部で示されるように、レンズ２１１−３１乃至２１１−３３が構成されるようにするために、配線Ｃ２５１に対しては電圧Ｖ２５２を、配線Ｃ２５２に対しては電圧Ｖ２５３を、配線Ｃ２５３に対しては電圧Ｖ２５４を、配線Ｃ２５４に対しては電圧Ｖ２５５を、配線Ｃ２５５に対しては電圧Ｖ２５１を、それぞれ印加する。また、液晶レンズパネル制御部１０１は、配線Ｃ２６１に対しては電圧Ｖ２６５を、配線Ｃ２６２に対しては電圧Ｖ２６１を、配線Ｃ２６３に対しては電圧Ｖ２６２を、配線Ｃ２６４に対しては電圧Ｖ２６３を、配線Ｃ２６５に対しては電圧Ｖ２６４を、それぞれ印加する。
【００８１】
結果として、右下がりに回転するようなずれが生じても修正することが可能となる。
【００８２】
尚、図６を参照して説明したように、バリアパネル５２において透過領域として修正の必要がないことが予想される範囲においては、多段化せず、その近傍の領域のみを補助的に多段化した細線化補助透過領域を設けるような手法を、液晶レンズに適用するようにしてもよい。すなわち、表示パネル５１との貼り合わせにより、ずれが生じ難く、修正の必要がないことが予想される範囲については、多段化せず、その近傍の領域のみを多段化した液晶レンズパネル９１を構成するようにしてもよい。この場合、液晶領域を制御するための配線数を抑制することができるので、液晶レンズパネル９１の製造の手間とコストを低減することが可能になると共に、液晶レンズパネル９１の制御負荷を低減させることが可能となる。
【００８３】
＜５．第５の実施の形態＞
［ディスプレイ製造装置］
次に、図９を参照して、図２，図３のバリアパネル５２を用いたディスプレイ３２の製造装置について説明する。
【００８４】
貼り合わせ部３００は、ディスプレイ３２の制御部５４等の基板などを含む筐体３２’に表示パネル５１およびバリアパネル５２を貼り合わせて組み込む。
【００８５】
ずれ測定装置３０１は、貼り合わせ部３００により表示パネル５１およびバリアパネル５２が貼り合わされた状態で組み込まれたディスプレイ３２の表示部位を撮像し、表示パネル５１における左眼用画像および右眼用画像を表示するための画素列と、透過領域とのずれを測定し、測定したずれから修正量を特定し、制御部５４のバリアパネル制御部７２に記録する。
【００８６】
より詳細には、ずれ測定装置３０１は、撮像部３１１、ずれ量測定部３１２、修正情報生成部３１３、および記録部３１４を含む。撮像部３１１は、貼り合わされた状態の表示パネル５１およびバリアパネル５２を撮像し、撮像した画像をずれ量測定部３１２に供給する。
【００８７】
ずれ量測定部３１２は、供給された画像の情報に基づいて、表示パネル５１における左眼用画像および右眼用画像を表示するための画素列と、透過領域とのずれ量を測定し、測定結果を修正情報生成部３１３に供給する。
【００８８】
修正情報生成部３１３は、ずれ量の情報からバリアパネル５２に対して、いずれの細線化透過領域、または、細線化補助透過領域の遮光をオフの状態とするかを特定し、対応して、いずれの細線化透過領域、または、細線化補助透過領域の配線への電力の供給を停止すべきかを示す修正情報を生成する。
【００８９】
記録部３１４は、修正情報生成部３１３より供給されてきた修正情報をディスプレイ３２の制御部５４におけるバリアパネル制御部７２に記憶させる。
【００９０】
バリアパネル制御部７２は、この修正情報に基づいて、細線化透過領域、または細線化補助透過領域を制御する配線に電力を供給することで、遮光のオンオフを制御することで、図４乃至図６を参照して説明したように、ずれを修正する。
【００９１】
［ディスプレイ製造方法］
次に、図１０のフローチャートを参照して、図９のディスプレイ３２の製造方法について説明する。
【００９２】
ステップＳ１において、貼り合わせ部３００は、表示パネル５１、およびバリアパネル５２を貼り合わせると共に、ディスプレイ３２を構成するための筐体３２’に組み込む。
【００９３】
ステップＳ２において、撮像部３１１は、貼り合わされた状態の表示パネル５１およびバリアパネル５２を撮像し、撮像した画像をずれ量測定部３１２に供給する。
【００９４】
ステップＳ３において、ずれ量測定部３１２は、供給された画像の情報に基づいて、表示パネル５１における左眼用画像および右眼用画像を表示するための所定の幅の画素列と、透過領域として設定されるべき範囲との位置関係を示す情報をずれ量として測定し、測定結果をずれ量の情報として修正情報生成部３１３に供給する。
【００９５】
ステップＳ４において、修正情報生成部３１３は、ずれ量の情報からバリアパネル５２に対して、細線化透過領域、または、細線化補助透過領域の遮光をオンまたはオフにするための修正情報を生成する。すなわち、修正情報生成部３１３は、ずれ量に応じて、図４乃至図６を参照して説明した手法により、バリアパネル５２に設けられている、細線化透過領域、または、細線化補助透過領域のいずれを透過させるべきかを特定し、対応する配線への電力供給の有無を示す修正情報を生成し記録部３１４に供給する。
【００９６】
ステップＳ５において、記録部３１４は、修正情報生成部３１３より供給されてきた修正情報をディスプレイ３２の制御部５４におけるバリアパネル制御部７２に記憶させる。
【００９７】
以上の処理により、ディスプレイ３２のバリアパネル制御部７２は、自らの表示パネル５１およびバリアパネル５２とのずれに応じた修正情報に基づいて、自らの細線化透過領域、または、細線化補助透過領域の遮光をオンまたはオフすることで、透過領域を修正することが可能となり、結果として、左眼用画像および右眼用画像を適切に分離することが可能となるので、３次元画像を適切に表示することが可能となる。
【００９８】
尚、液晶レンズパネル９１を用いたディスプレイ３２においては、左眼用画像および右眼用画像を表示するための所定の幅の画素列と、レンズを構成すべき位置とのずれ量となり、ずれ量に応じてレンズの構成べき位置を修正することになるが、その修正方法については、図８を参照して説明した通り、原理については、図４乃至図６を参照して説明したバリアパネル５２を用いた場合と同様であるので、その説明は省略するものとする。
【００９９】
また、以上においては、製造処理において、貼り合わせずれの修正に、視聴者が関与せず、略自動的に修正がなされる例について説明してきたが、視聴者が、実際に表示される３次元画像を見ながら、貼り合わせずれを調整するようにしても良い。すなわち、入力部１６を操作することにより、細線化透過領域、細線化垂直多段化透過領域、または、細線化補助透過領域のオンオフを切り替えられるようし、３次元画像として視聴しやすいようにしてもよい。
【０１００】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１０１】
図１のように構成されるテレビジョン受像機１では、CPU１１が、例えば、記憶部１８に記憶されているプログラムを、入出力インタフェース１５及びバス１４を介して、RAM１３にロードして実行することにより、上述した一連の処理が行われる。
【０１０２】
テレビジョン受像機１（CPU１１）が実行するプログラムは、例えば、パッケージメディア等としてのリムーバブルメディア２２に記録して提供することができる。また、プログラムは、ローカルエリアネットワーク、インターネット、デジタル衛星放送といった、有線または無線の伝送媒体を介して提供することができる。
【０１０３】
テレビジョン受像機１（CPU１１）では、プログラムは、リムーバブルメディア２２をドライブ２１に装着することにより、入出力インタフェース１５を介して、記憶部１８にインストールすることができる。また、プログラムは、有線または無線の伝送媒体を介して、通信部１９で受信し、記憶部１８にインストールすることができる。その他、プログラムは、ROM１２や記憶部１８に、あらかじめインストールしておくことができる。
【０１０４】
なお、テレビジョン受像機１（CPU１１）が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１０５】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１０６】
なお、本技術の実施の形態は、上述した実施の形態に限定されるものではなく、本技術の要旨を逸脱しない範囲において種々の変更が可能である。
【０１０７】
例えば、本技術は、１つの機能をネットワークを介して複数の装置で分担、共同して処理するクラウドコンピューティングの構成をとることができる。
【０１０８】
また、上述のフローチャートで説明した各ステップは、１つの装置で実行する他、複数の装置で分担して実行することができる。
【０１０９】
さらに、１つのステップに複数の処理が含まれる場合には、その１つのステップに含まれる複数の処理は、１つの装置で実行する他、複数の装置で分担して実行することができる。
【０１１０】
尚、本技術は、以下のような構成も取ることができる。
（１）  ３Ｄ画像を表示する表示装置であって、
視差方向に対して垂直方向に左眼用画像および右眼用画像を所定の幅の画素列毎に交互に表示する表示パネルと、
前記表示パネルに貼り合わされ、前記表示パネルで表示される前記画素列の所定の幅よりも十分に小さい幅の領域毎に、光の透過状態を制御することにより、前記表示パネルにより表示される前記左眼用画像および右眼用画像を視差方向毎に分離して透過させる分離パネルと
を含む表示装置。
（２）  前記分離パネルにおける、前記表示パネルで表示される前記画素列の所定の幅よりも十分に小さい幅の領域は、視差方向に対して垂直方向に多段に分割されて制御される
（１）に記載の表示装置。
（３）  前記分離パネルにおける、前記表示パネルで表示される前記画素列の所定の幅よりも十分に小さい幅の領域は、前記表示パネルの画素列に対して所定の角度を成す直線状に配列され、かつ、視差方向に対して垂直方向に多段に分割されて制御される
（１）または（２）に記載の表示装置。
（４）  前記分離パネルは、前記表示パネルの前面、または背面に構成される
（１）乃至（３）のいずれかに記載の表示装置。
（５）  前記分離パネルは、前記分離パネルにおける、前記表示パネルで表示される前記画素列の所定の幅よりも十分に小さい幅の領域毎に、光を透過させる状態であるか、または遮光させる状態であるかのいずれかの光の透過状態を制御することにより、前記表示パネルにおける、前記左眼用画像および右眼用画像が表示される所定の幅の画素列に対して、所定の位置関係となる前記所定の幅の遮光領域および透過領域を設定して、前記左眼用画像および右眼用画像を分離する
（１）乃至（４）に記載の表示装置。
（６）  前記分離パネルは、前記表示パネルに対して所定の位置関係を維持できるように貼り合わされるものであり、前記所定の位置関係から特定される前記遮光領域については、前記所定の幅の領域毎に、光を透過させる状態であるか、または遮光させる状態であるかのいずれかの光の透過状態を制御し、さらに、前記分離パネルの所定の幅の領域の近傍の、前記表示パネルで表示される前記画素列の所定の幅よりも十分に小さい幅の領域毎に、光を透過させる状態であるか、または遮光させる状態であるかのいずれかの光の透過状態を制御することにより、前記表示パネルにおける、前記左眼用画像および右眼用画像が表示される所定の幅の画素列に対して、所定の位置関係となる前記所定の幅の遮光領域および透過領域を設定して、前記左眼用画像および右眼用画像を分離する
（１）乃至（５）のいずれかに記載の表示装置。
（７）  前記分離パネルは、パララックスバリアである
（６）に記載の表示装置。
（８）  前記分離パネルは、前記分離パネルにおける、前記表示パネルで表示される前記画素列の所定の幅よりも十分に小さい幅の領域毎に、前記光の透過状態である光の屈折率を制御することにより、前記表示パネルにおける、前記左眼用画像および右眼用画像が表示される所定の幅の画素列に対して、所定の位置関係となる前記所定の幅の遮光領域および透過領域を設定して、前記左眼用画像および右眼用画像を分離する
（１）乃至（４）のいずれかに記載の表示装置。
（９）  前記分離パネルにおける、前記表示パネルで表示される前記画素列の所定の幅よりも十分に小さい幅の領域は、視差方向に対して垂直方向に多段に分割されて制御される
（１）乃至（４），（８）のいずれかに記載の表示装置。
（１０）
前記分離パネルは、液晶レンズである
（９）に記載の表示装置。
（１１）  ３Ｄ画像を表示する表示装置の表示方法であって、
表示パネルにより、視差方向に対して垂直方向に左眼用画像および右眼用画像を所定の幅の画素列毎に交互に表示し、
前記表示パネルに貼り合わされる分離パネルにより、前記表示パネルで表示される前記画素列の所定の幅よりも十分に小さい幅の領域毎に、光の透過状態を制御することにより、前記表示パネルにより表示される前記左眼用画像および右眼用画像を視差方向毎に分離して透過させる
を含む表示方法。
（１２）  ３Ｄ画像を表示する表示装置であって、
視差方向に対して垂直方向に左眼用画像および右眼用画像を所定の幅の画素列毎に交互に表示する表示パネルと、
前記表示パネルに貼り合わされ、前記表示パネルで表示される前記画素列の所定の幅よりも十分に小さい幅の領域毎に、光の透過状態を制御することにより、前記表示パネルにより表示される前記左眼用画像および右眼用画像を視差方向毎に分離して透過させる分離パネルと
を含む表示装置を製造する方法であって、
前記分離パネルが前記表示パネルに貼り合わされた状態で、前記表示パネルと前記分離パネルとの位置関係をずれ量として測定し、
測定された前記ずれ量に応じて、前記分離パネルにおける、前記画素列の所定の幅よりも十分に小さい幅の領域毎に、前記表示パネルにおける、前記左眼用画像および右眼用画像が表示される所定の幅の画素列に対する位置関係に応じて、光の透過状態を特定し、
前記分離パネルは、前記画素列の所定の幅よりも十分に小さい幅の領域毎に、前記位置関係に応じて特定された前記光の透過状態に制御して、前記左眼用画像および右眼用画像を分離して透過させる
表示装置の製造方法。
（１３）  ３Ｄ画像を表示する電子機器であって、
視差方向に対して垂直方向に左眼用画像および右眼用画像を所定の幅の画素列毎に交互に表示する表示パネルと、
前記表示パネルに貼り合わされ、前記表示パネルで表示される前記画素列の所定の幅よりも十分に小さい幅の領域毎に、光の透過状態を制御することにより、前記表示パネルにより表示される前記左眼用画像および右眼用画像を視差方向毎に分離して透過させる分離パネルと
を含む電子機器。
【符号の説明】
【０１１１】
１  テレビジョン受像機，  ３２  ディスプレイ，  ５１  表示パネル，  ５２  バリアパネル，  ５３  バックライト，  ５４  制御部，  ７１  表示パネル制御部，  ７２  バリアパネル制御部，  ７３  バックライト制御部，  ９１  液晶レンズパネル，  １０１  液晶レンズ制御部
【図１】
2013182223.tif 000003
【図２】
2013182223.tif 000004
【図３】
2013182223.tif 000005
【図４】
2013182223.tif 000006
【図５】
2013182223.tif 000007
【図６】
2013182223.tif 000008
【図７】
2013182223.tif 000009
【図８】
2013182223.tif 000010
【図９】
2013182223.tif 000011
【図１０】
2013182223.tif 000012